(57)【要約】【課題】特定の携帯端末が所定範囲内にあるか否かを自動的に判別する。【解決手段】特定の携帯端末Ｘ１が所定範囲内にあるか否かを判別する端末有無判別装置３１０であって、判別を要求するリクエスト情報の受信に応じて、リクエスト情報により特定された携帯端末Ｘ１の接続情報を取得する接続情報取得部３１１と、取得された接続情報の一部を、リクエスト情報の一部に基づく情報と照合し、ネットワーク上の位置を示す位置情報が一致する場合に特定された携帯端末Ｘ１が所定範囲内にあると判別する判別部３１２と、を備える。これにより、携帯端末Ｘ１の接続が変われば、自動的に所定範囲内にあるか否かの判別結果が変わる。したがって、たとえばこのような仕組みを利用して、自動で視聴制限を行うことが可能となる。【選択図】図１
2010074272.tif 000002
【特許請求の範囲】
【請求項１】
特定の携帯端末が所定範囲内にあるか否かを判別する端末有無判別装置であって、
判別を要求するリクエスト情報の受信に応じて、前記リクエスト情報により特定された携帯端末の接続情報を取得する接続情報取得部と、
前記取得された接続情報の一部を、前記リクエスト情報の一部に基づく情報と照合し、ネットワーク上の位置を示す位置情報が一致する場合に前記特定された携帯端末が所定範囲内にあると判別する判別部と、を備えることを特徴とする端末有無判別装置。
【請求項２】
前記接続情報取得部は、前記特定された携帯端末の接続情報として、携帯端末のレジスタ情報を取得し、前記判別部は、前記レジスタ情報の一部を、リクエスト情報の送出元のＩＰアドレスと照合することを特徴とする、請求項１記載の端末有無判別装置。
【請求項３】
前記判別部は、前記リクエスト情報に含まれるリクエスト送出元のＩＤを用いて、ユーザの情報が格納された視聴登録情報データベースに照会し、前記リクエスト送出元のＩＤに対応するコンテンツ視聴装置が現在使用しているＩＰアドレスを前記リクエスト情報の送出元のＩＰアドレスとして取得し、前記リクエスト情報の一部に基づく情報として照合に利用することを特徴とする請求項１記載の端末有無判別装置。
【請求項４】
前記特定された携帯端末が所定範囲内にあるか否かの判別結果を、ネットワークを通じて前記リクエスト情報の送出元に通知する判別情報通知部を更に備えることを特徴とする請求項１から請求項３のいずれかに記載の端末有無判別装置。
【請求項５】
前記特定された携帯端末が所定範囲内にないと判別された場合に、前記特定された携帯端末にメールを送信するメール送信部を更に備え、
前記判別情報通知部は、前記送信されたメールに基づく情報を前記特定された携帯端末から受信した場合には、前記特定された携帯端末が所定範囲内にある場合と同等の情報を前記リクエスト情報の送出元に通知することを特徴とする請求項１から請求項４のいずれかに記載の端末有無判別装置。
【請求項６】
前記特定された携帯端末が所定範囲内にあると判別された場合に、前記特定された携帯端末に対応してレコメンドするコンテンツを決定するレコメンド情報決定部と、
前記決定されたコンテンツに関するレコメンド情報を前記リクエスト情報の送出元に配信するレコメンド情報配信部と、を備えることを特徴とする請求項１から請求項５のいずれかに記載の端末有無判別装置。
【請求項７】
請求項１から請求項５のいずれかに記載の端末有無判別装置と、
前記特定された携帯端末が所定範囲内にあるか否かに対応付けて視聴の制限情報を記憶する制限情報記憶部、および前記リクエスト情報を発信し、受信した前記判別結果に基づいて、視聴の制限を決定する制限制御部を有し、制限に応じて受信したコンテンツを再生可能または再生不可にするコンテンツ視聴装置と、を備えることを特徴とするコンテンツ視聴制限システム。
【請求項８】
特定の携帯端末が所定範囲内にあるか否かを判別する端末有無判別方法であって、
判別を要求するリクエスト情報の受信に応じて、前記リクエスト情報により特定された携帯端末の接続情報を取得する接続情報取得ステップと、
前記取得された接続情報の一部を、前記リクエスト情報の一部に基づくと照合し、ネットワーク上の位置を示す位置情報が一致する場合に前記特定された携帯端末が所定範囲内にあると判別する判別ステップと、を有することを特徴とする端末有無判別方法。
【発明の詳細な説明】
【技術分野】
【０００１】
本発明は、特定の携帯端末の位置状況を判別する端末有無判別装置、これを用いたコンテンツ視聴制限システムおよび端末有無判別方法に関する。
【背景技術】
【０００２】
近年、Set-top Box（以下、ＳＴＢ）等の映像表示機器が家庭に普及し家族で共有されることも多い。そのような状況において、家族揃って視聴する場合には問題ないが、親の不在時に、子供が親の目の届かないところで不適切な番組を自由に視聴することは、問題がある。これに対しては、子供に不適切な番組を見せないようにするためユーザの認証を前提とした視聴制限機能が導入されつつある。また、近年ではユーザのニーズ志向を背景に、ユーザ個々の好みに応じた番組を番組選択画面において提示（“レコメンド”）するなど、ユーザ個々の制御を前提とした高度化が進められている。このような視聴制限やレコメンドにおいては、パスワード／ログインによりユーザを認証するのが一般的である（たとえば、特許文献１、非特許文献１参照）。
【特許文献１】特開２００６−１４０６７８号公報
【非特許文献１】ＫＤＤＩ株式会社、“視聴年齢制限付きコンテンツについて ｜ ひかりone（光ファイバー・FTTHサービス）”、［online］、［２００８年７月１０日検索］、インターネット＜http://www.hikari-one.com/tv/channel/limited.html＞
【発明の開示】
【発明が解決しようとする課題】
【０００３】
しかしながら、パスワードにより視聴制限されている状態では、視聴を制限されないユーザが制限付きコンテンツを見たいときに、その都度、映像表示機器にパスワードを入力しなければならない。また、ユーザ個々の視聴履歴に応じた番組のレコメンドを受ける場合にも、ユーザ個々のＩＤを用いてログインする必要がある。ＵＳＢキー等の専用デバイスを認証用に用いる方法も考えられるが、ＴＶを見る度にデバイスを接続しなければならないため不便が解消するとは言い難い。したがって、このような不便を解消するためには、ユーザに特段の操作を強いること無く、現在どのユーザが在宅しているかを自動的に判別できることが望ましい。一方、近年、携帯電話機の普及は目覚ましく、家族がそれぞれ自分の携帯電話機を所有していることも珍しくない。特定の携帯端末が所定範囲内にあるか否かを自動的に判別できれば、現在どのユーザが所定範囲内にいるかを自動的に判別することが可能になる。
【０００４】
本発明は、このような事情に鑑みてなされたものであり、特定の携帯端末が所定範囲内にあるか否かを自動的に判別する端末有無判別装置、これを用いたコンテンツ視聴制限システムおよび端末有無判別方法を提供することを目的とする。
【課題を解決するための手段】
【０００５】
上記の目的を達成するため、本発明の端末有無判別装置は、特定の携帯端末が所定範囲内にあるか否かを判別する端末有無判別装置であって、コンテンツ配信設備において、端末有無の判別を行う、ネットワーク型の構成であることを特徴とする。ネットワーク型の構成とすることで、端末有無の判別に必要となる電話番号の通知を、接続管理設備と端末有無判別装置だけに留めることが可能となる。
【０００６】
（１）さらに、本発明の端末有無判別装置は、特定の携帯端末が所定範囲内にあるか否かを判別する端末有無判別装置であって、判別を要求するリクエスト情報の受信に応じて、前記リクエスト情報により特定された携帯端末の接続情報を取得する接続情報取得部と、前記取得された接続情報の一部を、前記リクエスト情報の一部に基づく情報と照合し、ネットワーク上の位置を示す位置情報が一致する場合に前記特定された携帯端末が所定範囲内にあると判別する判別部と、を備えることを特徴としている。なお、リクエスト情報の一部に基づく情報には、リクエスト情報の一部だけではなく、リクエスト情報の一部に基づいてデータベース等から取得した情報も含まれる。
【０００７】
このように本発明の端末有無判別装置は、リクエスト情報により特定された携帯端末の接続情報を取得し、取得された接続情報の一部を、リクエスト情報の一部に基づく情報と照合することで、特定の携帯端末が所定範囲内にあるか否かを判別する。これにより、携帯端末の接続が変われば、自動的に所定範囲内にあるか否かの判別結果が変わる。したがって、たとえばこのような仕組みを利用して、自動で視聴制限を行うことが可能となる。なお、所定範囲内とは、たとえば自宅の無線ＬＡＮのアクセスポイントがカバーできる範囲を指す。また、ネットワーク上の位置を示す位置情報とは、たとえば機器のグローバルアドレスである。ＳＴＢのリクエスト情報の一部と、携帯端末の登録された接続情報の一部にグローバルアドレスが含まれている場合を想定している。
【０００８】
（２）また、本発明の端末有無判別装置は、前記接続情報取得部が、前記特定された携帯端末の接続情報として、ＩＰ電話のレジスタ情報を取得し、前記判別部は、この携帯端末のレジスタ情報の一部であるＩＰアドレスを前記リクエスト情報の一部に基づく情報と照合することを特徴としている。これにより、携帯電話のレジスタ情報を用いれば、簡易に携帯端末が所定の範囲にあることを判別することができる。なお、レジスタ情報とは、ＩＰ電話システムのロケーションサーバに蓄積される情報であり、ＩＰアドレスを含む。また、リクエスト情報の一部に基づく情報としては、リクエスト情報の送出元のＩＰアドレスを利用してもよいし、リクエスト情報の中に、契約家族のＩＤを含めることで、その契約家族のＩＤに基づいて視聴登録情報データベースから検索して取得したコンテンツ視聴装置のアドレスを利用してもよい。なお、後者の場合にはＳＴＢ等のコンテンツ視聴装置のアドレスは視聴登録情報データベースに予め格納されている。
【０００９】
（３）すなわち、本発明の端末有無判別装置は、前記判別部が、前記リクエスト情報に含まれるリクエスト送出元のＩＤを用いて、ユーザの情報が格納された視聴登録情報データベースに照会し、前記リクエスト送出元のＩＤに対応するコンテンツ視聴装置が現在使用しているＩＰアドレスを前記リクエスト情報の送出元のＩＰアドレスとして取得し、前記リクエスト情報の一部に基づく情報として照合に利用することを特徴としている。これにより、リクエスト情報の送出元のＩＰアドレスを容易に取得し照合することができる。
【００１０】
（４）また、本発明の端末有無判別装置は、前記特定された携帯端末が所定範囲内にあるか否かの判別結果を、ネットワークを通じて前記リクエスト情報の送出元に通知する判別情報通知部を更に備えることを特徴としている。これにより、リクエスト情報の送出元は、特定された携帯端末が所定範囲内にあるか否かを自動的に判別する仕組みを利用することができる。たとえば、視聴制限を自動的に判断可能なシステムを構築することができる。
【００１１】
（５）また、本発明の端末有無判別装置は、前記特定された携帯端末が所定範囲内にないと判別された場合に、前記特定された携帯端末にメールを送信するメール送信部を更に備え、前記判別情報通知部は、前記送信されたメールに基づく情報を前記特定された携帯端末から受信した場合には、前記特定された携帯端末が所定範囲内にある場合と同等の情報を前記リクエスト情報の送出元に通知することを特徴としている。これにより、携帯端末が所定範囲内に無くても、メールにより携帯端末のユーザに確認をとることができる。そして、メールに基づく情報を受信したときには、携帯端末が所定範囲内にあるのと同等の効果を得ることができる。なお、特定された携帯端末が所定範囲内にある場合と同等の情報とは、コンテンツ視聴制限システムにおいては、視聴の許可について肯定的な情報である。
【００１２】
（６）また、本発明の端末有無判別装置は、前記特定された携帯端末が所定範囲内にあると判別された場合に、前記特定された携帯端末に対応してレコメンドするコンテンツを決定するレコメンド情報決定部と、前記決定されたコンテンツに関するレコメンド情報を前記リクエスト情報の送出元に配信するレコメンド情報配信部と、を備えることを特徴としている。これにより、携帯端末が所定範囲内にあると判別されたとき、その携帯端末のユーザに対応したコンテンツをレコメンドするシステムを構築することができる。その結果、パスワードやＩＤでログインする必要がなく、自動の認証によりレコメンドが可能となる。
【００１３】
（７）また、本発明のコンテンツ視聴制限システムは、前記の端末有無判別装置と、前記特定された携帯端末が所定範囲内にあるか否かに対応付けて視聴の制限情報を記憶する制限情報記憶部、および前記リクエスト情報を発信し、受信した前記判別結果に基づいて、視聴の制限を決定する制限制御部を有し、制限に応じて受信したコンテンツを再生可能または再生不可にするコンテンツ視聴装置と、を備えることを特徴としている。これにより、コンテンツ視聴装置は、携帯端末の所定範囲内の有無を判別し、判別結果に応じて自動的にコンテンツの視聴を制限することができる。
【００１４】
（８）また、本発明の端末有無判別方法は、特定の携帯端末が所定範囲内にあるか否かを判別する端末有無判別方法であって、判別を要求するリクエスト情報の受信に応じて、前記リクエスト情報により特定された携帯端末の接続情報を取得する接続情報取得ステップと、前記取得された接続情報の一部を、前記リクエスト情報の一部に基づく情報と照合し、ネットワーク上の位置を示す位置情報が一致する場合に前記特定された携帯端末が所定範囲内にあると判別する判別ステップと、を有することを特徴としている。これにより、携帯端末の接続が変われば、自動的に所定範囲内にあるか否かの判別結果が変わる。したがって、たとえば、このような方法を利用して、自動で視聴制限を行うことが可能となる。
【発明の効果】
【００１５】
本発明によれば、特定の携帯端末が所定範囲内にあるか否かを自動的に判別できる。
【発明を実施するための最良の形態】
【００１６】
次に、本発明の実施の形態について、図面を参照しながら説明する。説明の理解を容易にするため、各図面において同一の構成要素に対しては同一の参照番号を付し、重複する説明は省略する。
【００１７】
［実施形態１］
（システム全体の構成）
図１は、コンテンツ視聴制限システム１００の機能的構成を示すブロック図である。図１に示すように、コンテンツ視聴制限システム１００は、ユーザ用設備２００、コンテンツ配信設備３００、接続管理設備４００および電気通信網Ｎにより構成されている。電気通信網Ｎは、たとえばインターネットである。ユーザ用設備２００は、たとえばユーザの自宅に設けられた設備であり、電気通信網Ｎによりコンテンツ配信設備３００および接続管理設備４００に接続されている。コンテンツ配信設備３００は、ユーザ用設備２００からの要求に応じてコンテンツを配信する設備であり、たとえばＶＯＤ配信設備である。一方、接続管理設備４００は、携帯端末Ｘｎの接続状況を管理する設備であり、たとえばＳＩＰのレジストラサーバである。たとえば、ユーザはＩＰ網を介して映像配信を受けられ、携帯端末Ｘｎ（デュアル端末）が、無線ＬＡＮ等の家庭内無線を経由して、事業者の携帯電話ＩＰ接続設備に接続されている場面を想定している。
【００１８】
（ユーザ用設備の構成）
ユーザ用設備２００は、コンテンツ視聴装置２１０、ブロードバンド回線接続装置２２０および無線接続機２３０から構成されている。コンテンツ視聴装置２１０は、たとえばＳＴＢであり、コンテンツ配信設備３００から配信される映画やテレビドラマなどのコンテンツを受信し、再生する。コンテンツ視聴装置２１０は、コンテンツに応じて視聴制限が可能となっている。
【００１９】
ブロードバンド回線接続装置２２０（ブロードバンドルータ等）は、電気通信網Ｎとコンテンツ視聴装置２１０または無線接続機２３０とのインタフェースである。また、ブロードバンド回線接続装置２２０はＮＡＰＴ機能を備え、ユーザ用設備２００内の機器にローカルアドレスを割り当て、グローバルＩＰアドレスとローカルアドレスの変換を行なう。
【００２０】
無線接続機２３０は、たとえば無線ＬＡＮのアクセスポイントであり、デュアル端末である携帯端末Ｘ１が所定範囲内にある場合には自動的に接続する。デュアル端末とは、家庭の無線ＬＡＮエリア内においては、無線LＡＮと接続された固定回線を経由して通話可能な携帯電話機である。デュアル端末は、無線ＬＡＮのエリアでは、ユーザの特別な操作無しに、自動的にアクセスポイントを経由して接続される。たとえば、ユーザが家庭内にいる時は無線ＬＡＮ経由で接続され、ユーザが外出すると自動的に通常の携帯網で接続される。このようなシステムを用いれば自動的にユーザの在宅状況を把握できる。なお、本実施形態では無線接続機２３０を無線ＬＡＮ機器として説明するが、これに限定されず、無線接続機２３０はFemtoCell等の基地局の一種であってもよい。また、本実施形態では携帯電話機を携帯端末Ｘｎの例として説明するが、携帯端末Ｘｎは必ずしもこれに限定されるものではなく、携帯用ＰＣ、ＰＤＡ等であってもよい。携帯端末Ｘｎが携帯電話機でない場合には、電話番号に代えて機器固有のＩＤ等を用いることができる。なお、図１に示される携帯端末Ｘ２は自宅のアクセスポイントがカバーしていない位置で電気通信網Ｎに接続されている。
【００２１】
コンテンツ視聴装置２１０は、制限情報記憶部２１１、制限制御部２１２、コンテンツ受信部２１５および出力部２１６を備えている。制限情報記憶部２１１は、特定された携帯端末Ｘｎが所定範囲内にあるか否かに対応付けて視聴の制限情報を記憶する。視聴制限情報とは、「視聴を制限されたユーザ（子）の電話番号」、「視聴を許可する権限を持つユーザ（親）の電話番号」等の対応付けを有する一覧情報である。また、制限制御部２１２は、リクエスト情報を発信し、得られた判別結果、すなわち携帯端末が所定範囲内にあるか否かに基づいて、視聴の制限を決定する。たとえば、コンテンツ視聴装置２１０は、リクエスト情報に親の携帯端末Ｘ１の電話番号を含めて送出することで、その携帯端末Ｘ１が所定範囲内（自宅内）にあるか否かについての判別を要求する。
【００２２】
制限制御部２１２は、受信した在宅または不在の結果に基づき、在宅であれば（親の目が行き届いているという解釈のもと）、視聴制限つきコンテンツの閲覧を許可する。一方、不在であれば、閲覧は許可されない旨、出力部２１６に出力する。その結果、コンテンツ視聴装置２１０は、制限に応じて受信したコンテンツを再生許可または再生不可とする。コンテンツ受信部２１５は、コンテンツ配信設備３００から配信されたコンテンツを受信する。出力部２１６は、再生を許可された受信コンテンツを再生し、映像や音声を出力する。
【００２３】
この携帯端末Ｘ1が所定範囲内（自宅内）にあるか否かの判別を要求するリクエスト（リクエスト情報）は、ユーザが視聴制限付コンテンツの要求を出したときだけでなく、ユーザが番組表や、コンテンツのメニュー一覧を取得する際に、コンテンツ視聴装置２１０が、自動的に判別要求リクエストを送出しても良い。この場合、コンテンツ視聴装置２１０では、制限付コンテンツを予めメニュー上で選択不可にするといった処理が可能となる。
【００２４】
（コンテンツ配信設備の構成）
コンテンツ配信設備３００は、端末有無判別装置３１０、コンテンツ配信装置３２０および視聴登録情報データベース３３０から構成されている。そのうちの端末有無判別装置３１０は、特定の携帯端末Ｘｎが所定範囲内にあるか否かを判別する装置であり、接続情報取得部３１１、判別部３１２、判別情報通知部３１６およびメール送信部３１５を備えている。
【００２５】
接続情報取得部３１１は、判別を要求するリクエスト情報の受信に応じて、リクエスト情報により特定された携帯端末Ｘｎの接続情報を取得する。判別部３１２は、取得された接続情報の一部を、リクエスト情報の一部に基づく情報と照合し、ネットワーク上の位置を示す位置情報が一致する場合に特定された携帯端末Ｘｎが所定範囲内にあると判別する。なお、コンテンツ視聴装置２１０と同一のホームネットワークを利用して接続される携帯端末Ｘｎ（デュアル端末）の電話番号は、ユーザが契約時やコンテンツ視聴装置２１０からの登録操作等により、あらかじめコンテンツ配信設備３００側に格納されている。なお、判別部３１２は、リクエスト情報に含まれるリクエスト送出元のＩＤを用いて、ユーザの情報が格納された視聴登録情報データベース３３０に照会し、コンテンツ視聴装置２１０（リクエスト送出元）のＩＤに対応するＩＰアドレスを取得し、リクエスト情報の一部に基づく情報として照合に利用してもよい。このように、コンテンツ視聴装置２１０が現在使用しているＩＰアドレスをリクエスト情報の送出元のＩＰアドレスとして取得することができる。これにより、リクエスト情報の送出元のＩＰアドレスを容易に取得し照合することができる。
【００２６】
判別情報通知部３１６は、特定された携帯端末Ｘｎが所定範囲内にあるか否かの判別結果を、ネットワークを通じてリクエスト情報の送出元、すなわちコンテンツ視聴装置２１０に通知する。また、判別情報通知部３１６は、送信されたメールに基づく情報を特定された携帯端末Ｘｎから受信した場合には、特定された携帯端末Ｘｎが所定範囲内にある場合と同等の情報をリクエスト情報の送出元であるコンテンツ視聴装置２１０に通知する。メール送信部３１５は、特定された携帯端末Ｘｎが所定範囲内にないと判別された場合に、特定された携帯端末Ｘｎにメールを送信する。
【００２７】
コンテンツ配信装置３２０は、配信制御部３２１および配信部３２２を備えている。配信制御部３２１は、コンテンツ視聴装置２１０から要求を受信したときに、要求に応じたコンテンツの配信を準備する。配信部３２２は、準備されたコンテンツをコンテンツ視聴装置２１０へ配信する。視聴登録情報データベース３３０は、コンテンツ視聴装置２１０の登録情報を格納している。図２（ａ）は、視聴登録情報データベース３３０に格納されているコンテンツ視聴装置２１０の登録情報および携帯端末Ｘｎ（デュアル端末）の番号の例を示している。コンテンツ視聴装置２１０の視聴登録情報とは、たとえば契約した家庭に割り当てられるＩＤと、その家庭のコンテンツ視聴装置２１０にアクセスするために紐付けられたＩＰアドレスである。これらの視聴登録情報は、コンテンツ視聴装置２１０の電源起動時に、コンテンツ視聴装置２１０からコンテンツ配信設備３００への端末登録処理によって登録される。なお、上記のコンテンツ配信設備３００の構成は、一例であり、コンテンツ配信装置３２０や視聴登録情報データベース３３０の各要素が端末有無判別装置３１０内に設けられていてもよい。
【００２８】
（接続管理設備の構成）
接続管理設備４００には、接続情報登録装置４１０および接続情報データベース４２０が設けられている。接続情報登録装置４１０は、携帯端末Ｘ１が無線接続機２３０により電気通信網Ｎに接続されたときに、携帯端末Ｘ１の接続情報を接続情報データベース４２０に登録する。そして、端末有無判別装置３１０から携帯端末Ｘ１の接続情報の問合せがあったときには、登録されている携帯端末Ｘ１の接続情報を端末有無判別装置３１０に返信する。携帯端末Ｘ１は、無線接続機２３０、ブロードバンド回線接続装置２２０を経由して、接続情報登録装置４１０に接続する。接続情報登録装置４１０では、携帯端末Ｘ１の認証を行うと共に、携帯端末Ｘ１に割り当てられているＩＰアドレス等、ネットワークの情報を登録する。ＳＩＰを用いる場合、接続情報登録装置４１０はＳＩＰレジストラサーバ、接続情報は、ＩＰ電話のレジスタ情報、すなわちContactアドレス（端末のＩＰアドレス）に該当する。携帯端末Ｘｎが家庭内の無線ＬＡＮへの接続または切断を行うたびに、接続情報データベース４２０が格納している情報は自動的に更新される。図２（ｂ）は、接続情報登録装置４１０に格納されている携帯端末の情報の例を示す図である。図２（ｂ）に示すように、接続情報データベース４２０は、携帯端末Ｘｎの電話番号とそのＩＰアドレスとを対応付けて記憶している。
【００２９】
（コンテンツ視聴制限システムの動作）
次に、上記のように構成されるコンテンツ視聴制限システム１００の動作の一例を説明する。図３は、コンテンツ視聴制限システム１００の動作を示すシーケンスチャートである。まず、コンテンツ視聴装置２１０は、ユーザへの番組表提示等のタイミングで、コンテンツ情報をコンテンツ配信設備３００から取得する（ステップＳ１）、コンテンツ情報には、そのコンテンツが年齢制限等の制限付きか否かの情報も含まれている。
【００３０】
ユーザからの入力操作により、コンテンツの視聴要求が行なわれた場合（ステップＳ２）、コンテンツ視聴装置２１０は、視聴制限付きか否かの判定を行う（ステップＳ３）。この事例では、コンテンツが視聴制限付きであると判定されたものとする。その場合には、コンテンツ視聴装置２１０は、リクエスト情報を端末有無判別装置３１０に送信する（ステップＳ４）。つまり、コンテンツ視聴装置２１０は、自身の制限情報記憶部２１１を参照して、登録されている電話番号の在宅有無（例えば親の電話番号の在宅有無）を問い合わせる。端末有無判別装置３１０は、リクエスト情報に含まれる携帯端末Ｘ１を特定する情報に基づいて、その特定された携帯端末Ｘ１の接続情報を接続情報登録装置４１０に問い合わせる（ステップＳ５）。なお、上記の動作例では、コンテンツの視聴要求が行なわれた場合に、特定の携帯端末Ｘ１が所定範囲内（自宅内）にあるか否かの判別を要求するが、年齢制限に応じて、表示するメニューを変更するような場合、コンテンツ視聴装置２１０の起動時に一律に判別を要求することとしてもよい。
【００３１】
問合せを受けた接続情報登録装置４１０は、特定された携帯端末Ｘ１の接続情報を返信する（ステップＳ６）。接続情報を取得した端末有無判別装置３１０は、取得した接続情報の一部と、リクエスト情報の一部に基づく情報とを照合し、一致する場合には、特定された携帯端末Ｘ１が所定範囲内にあるものと判別する（ステップＳ７）。これにより、その携帯端末Ｘ１がユーザ宅内のコンテンツ視聴装置２１０と同一のネットワークに存在するかを判別することが可能となる。この事例では、特定された携帯端末Ｘ１が所定範囲内にあると判定された場合を説明する。その場合、端末有無判別装置３１０は、特定された携帯端末Ｘ１が所定範囲内にあるという結果情報をコンテンツ視聴装置２１０に通知する（ステップＳ８）。そして、コンテンツ視聴装置２１０は、特定された携帯端末Ｘ１が所定範囲内にあるという結果から、視聴制限を解除して、視聴要求のあったコンテンツを再生する（ステップＳ９）。このようにして、親が在宅時は、パスワード等のわずらわしい入力や、ＵＳＢキー等の専用デバイスを用いることなく、制限付きコンテンツを視聴することが出来る。この際、親は特別な操作は一切必要なく、携帯電話が宅内にあれば良いため、従来方式に比べ著しく簡便である。
【００３２】
（端末有無判別装置の動作）
端末有無判別装置３１０は、プログラムにより動作される。端末有無判別装置３１０の動作を説明する。図４は、端末有無判別装置３１０の動作を示すフローチャートである。まず、端末有無判別装置３１０は、コンテンツ視聴装置２１０からリクエスト情報を受信する（ステップＴ１）。次いで、受信したリクエスト情報に基づいて、特定される接続情報を接続情報登録装置４１０に問い合わせる（ステップＴ２）。そして、問合せに対して返信された接続情報を取得する（ステップＴ３）。
【００３３】
次に、端末有無判別装置３１０は、取得した接続情報とリクエスト情報とを対比して、位置情報を照合し（ステップＴ４）、位置情報が一致しているか否かを判別する（ステップＴ５）。位置情報が一致していない場合には特定された携帯端末Ｘｎに視聴制限を解除してよいかの確認メールを送信する（ステップＴ６）。送信後、端末有無判別装置３１０は、確認メールに対するユーザからの確認情報を待機し、確認情報を受信したか否かを判別する（ステップＴ７）。
【００３４】
所定時間内に確認情報を受信しない場合または視聴を許可しない旨の要求を受けた場合には、コンテンツ視聴装置２１０に否定的な結果を返信する（ステップＴ８）。この場合にはコンテンツ視聴装置２１０は、コンテンツの再生を許可しない。一方、ステップＴ５で位置情報が一致した場合、またはステップＴ７で確認情報を受信した場合には、肯定的な結果を返信する（ステップＴ９）。この場合には、コンテンツ視聴装置２１０はコンテンツの再生を許可する。
【００３５】
なお、上記の例では、コンテンツ視聴装置２１０が制限情報記憶部２１１および制限制御部２１２を有し、ユーザ用設備２００側で視聴制限情報を管理するが、コンテンツ配信設備３００側が視聴制限情報を記憶するとともに制限を制御し、視聴制限情報を管理してもよい。
【００３６】
（照合方法）
次に、接続情報の一部とリクエスト情報の一部に基づく情報との照合について一例を挙げて説明する。図５（ａ）は、リクエスト情報の一部をなすアドレス、図５（ｂ）は接続情報の一部をなすアドレスを示す図である。携帯電話が取得しているローカルアドレスは、ブロードバンド回線接続装置２２０のＮＡＰＴ機能によって、「グローバルアドレス＋ポート番号」に変換され、接続情報管理設備４００に登録される。また、コンテンツ視聴装置についても、同様に「グローバルアドレス＋ポート番号」が、コンテンツ配信設備に登録される。判別部３１２は、この携帯端末Ｘｎのグローバルアドレス、コンテンツ視聴装置２１０のアドレスと比較し、一致すれば携帯端末が所定範囲内にある（在宅）と判断する。
【００３７】
図５（ａ）に示すように、リクエスト情報にはコンテンツ視聴装置２１０のアドレスが含まれている。アドレスは、コンテンツ配信設備３００等の外部からみたときには、グローバルアドレス（図中太枠）として認識される。図５（ａ）に示す例では、ブロードバンド回線接続装置２２０のグローバルアドレスは20.2.2.254というＩＰアドレスで認識される。また、コンテンツ視聴装置２１０のグローバルアドレスは、20.2.2.254のＩＰアドレスおよび2022のポート番号で認識される。
【００３８】
一方、リクエスト情報には携帯端末Ｘ１を特定する情報（たとえばＩＤ情報）が含まれており、それをもとに端末有無判別装置３１０は、その携帯端末Ｘ１のアドレスを取得することが可能になっている。図５（ｂ）に示す例では、携帯端末Ｘ１のグローバルアドレスは20.2.2.254のＩＰアドレスおよび2022のポート番号で認識される。
【００３９】
照合の際にはこれらのグローバルアドレスの情報（位置情報）において、両者のＩＰアドレスが一致するか否かを判定する。図５（ａ）、（ｂ）に示す例では、ＩＰアドレスが両者とも20.2.2.254で一致するため、特定された携帯端末Ｘ１が所定範囲内にあることが判別される。このようにして、グローバルアドレスを比較することで特定された携帯端末Ｘ１が所定範囲内にあることを判別できる。
【００４０】
なお、ブロードバンド回線接続装置２２０がSIP Proxy機能を備える場合には、携帯端末Ｘ１は、ブロードバンド回線接続装置２２０に位置登録し、ブロードバンド回線接続装置２２０は、自身のＩＰアドレスで接続情報登録装置４１０に位置登録する。したがって、上記の例と同様に、端末有無判別装置３１０は、接続情報登録装置４１０に登録されたアドレスと、コンテンツ視聴装置２１０が取得しているグローバルアドレスと比較し、特定の携帯端末Ｘｎが所定範囲内にあるか否かを判断することも可能となる。
【００４１】
（メールによる確認）
次に、特定の携帯端末Ｘ２が所定範囲内に無いと判別されたときに、さらにメールにより視聴を制限するか否かを確認する動作について一例を挙げて説明する。図６は、コンテンツ視聴制限システム１００のメールによる確認の動作を示すシーケンスチャートである。図６に示すように、まず、端末有無判別装置３１０が情報を照合し、携帯端末Ｘ２の有無を判別し（ステップＰ１）、無いと判別されたものとする。このとき、端末有無判別装置３１０は、確認メールを特定された携帯端末Ｘ２に送信する（ステップＰ２）。そして、携帯端末Ｘ２はユーザからの操作を受け付ける（ステップＰ３）。ユーザは、視聴を制限するか否かを判断して指示する。ここで、ユーザは、そのコンテンツの視聴を許可したものとする。
【００４２】
その場合、携帯端末Ｘ２は確認情報を端末有無判別装置３１０に送信し（ステップＰ４）、端末有無判別装置３１０は、肯定的な結果情報をコンテンツ視聴装置２１０に送信する（ステップＰ５）。肯定的な結果情報を受信したコンテンツ視聴装置２１０は、制限を解除し、視聴要求のあったコンテンツを再生する（ステップＰ６）。このように、親の不在時に子供が制限付きコンテンツの視聴を試みようとしたとき、親の携帯電話に自動で問い合わせメールを送ることで、遠隔から柔軟に視聴制限を行うことが可能となる。
【００４３】
なお、上記の例では、端末有無判別装置３１０が特定された携帯端末Ｘ２（たとえば親の携帯端末）にメールを送信しているが、コンテンツ視聴装置２１０側で、メールを送信することも可能である。また、親の携帯端末Ｘ２に、現在在宅の携帯端末Ｘ１の電話番号と、視聴許可を求めているコンテンツ情報をメールで送信し、視聴許可を遠隔で問い合わせるといった運用も可能である。
【００４４】
［実施形態２］
（システム全体の構成）
上記の実施形態では、携帯端末Ｘｎの有無によりコンテンツの視聴の制限を制御するが、携帯端末Ｘｎの有無によりその携帯端末Ｘｎに対応するコンテンツのレコメンドを行ってもよい。図７は、レコメンドシステム５００の機能的構成を示すブロック図である。図７に示すように、レコメンドシステム５００は、ユーザ用設備６００、コンテンツ配信設備７００、接続管理設備４００および電気通信網Ｎにより構成されている。
【００４５】
（ユーザ用設備の構成）
ユーザ用設備６００は、コンテンツ視聴装置６１０、ブロードバンド回線接続装置２２０および無線接続機２３０から構成されている。コンテンツ視聴装置６１０は、たとえば一般的なＳＴＢであり、コンテンツ配信設備７００から配信される映画やテレビドラマなどのコンテンツをコンテンツ受信部６１５で受信し、出力部６１６で再生する。
【００４６】
（コンテンツ配信設備の構成）
コンテンツ配信設備７００は、端末有無判別装置７１０およびコンテンツ配信装置７２０から構成されている。端末有無判別装置７１０は、特定の携帯端末Ｘｎが所定範囲内にあるか否かを判別する装置であり、接続情報取得部７１１、判別部７１２、レコメンド情報決定部７１５およびレコメンド情報配信部７１６を備えている。
【００４７】
接続情報取得部７１１は、判別を要求するリクエスト情報の受信に応じて、リクエスト情報により特定された携帯端末Ｘｎの接続情報を取得する。判別部７１２は、取得された接続情報の一部を、リクエスト情報の一部に基づく情報と照合し、ネットワーク上の位置を示す位置情報が一致する場合に特定された携帯端末Ｘｎが所定範囲内にあると判別する。
【００４８】
レコメンド情報決定部７１５は、特定された携帯端末Ｘｎが所定範囲内にあると判別された場合に、特定された携帯端末Ｘｎに対応してレコメンドすべきコンテンツを選択し、レコメンド情報を決定する。具体的には、レコメンド情報配信部７１６は、取得した携帯端末Ｘｎの一覧情報に基づき、視聴登録情報データベース３３０を参照し、その携帯端末Ｘｎに対応するユーザプロファイルにアクセスする。そして、視聴登録情報データベース３３０を参照して取得した情報から、レコメンドすべきコンテンツを選択し、レコメンド情報を決定する。視聴登録情報データベース３３０には、たとえばこれまでのＶＯＤの視聴履歴や、ユーザの年齢・性別等が格納されている。レコメンド情報配信部７１６は、決定されたレコメンド情報をリクエスト情報の送出元、すなわちコンテンツ視聴装置６１０に配信する。
【００４９】
コンテンツ配信装置７２０は、配信制御部７２１、配信部７２２および視聴登録情報データベース３３０を備えている。配信制御部７２１は、コンテンツ視聴装置６１０から要求を受信したときに、要求に応じたコンテンツの配信を準備する。配信部７２２は、準備されたコンテンツを配信する。視聴登録情報データベース３３０は、ユーザごとの配信履歴や個人情報等のユーザ情報を記憶している。視聴登録情報データベース３３０は、たとえば、携帯電話に紐付けられた各ユーザのプロファイル情報（例えば、過去に購入したＶＯＤの履歴）を蓄積する。
【００５０】
このように構成されるレコメンドシステム５００により、たとえば、宅内に父親と子供がいた場合、その２名の履歴から、共通的に楽しめるコンテンツをレコメンドするといった制御が想定される。なお、あらかじめコンテンツ配信設備７００には、コンテンツ視聴装置６１０の情報とともに、携帯端末Ｘｎの電話番号等が格納されており、携帯端末Ｘｎごとのコンテンツの視聴履歴等を記録することが可能となっている。また、携帯端末Ｘｎが、無線接続機２３０、ブロードバンド回線接続装置２２０を経由して、接続情報登録装置４１０に接続する点は、実施形態１と同様である。
【００５１】
（レコメンドシステムの動作）
次に、上記のように構成されるレコメンドシステム５００の動作の一例を説明する。通常、ユーザによるコンテンツ視聴装置６１０（ＳＴＢ等）の操作によって、コンテンツ配信設備７００から、必要となるメニュー一覧が配信される。ＴＶをつけた時やＶＯＤのメニュー画面配信時などに、番組やＶＯＤのレコメンドが必要となると、コンテンツ配信設備７００では、予め登録されているコンテンツ視聴装置６１０の登録情報、そのコンテンツ視聴装置６１０に紐付けられるべき携帯端末Ｘｎ（デュアル端末）の番号の一覧を取得する。そして、取得した番号の一覧に対して、接続情報登録装置４１０へ問い合わせ、現在所定範囲内（自宅内）に位置登録している携帯端末Ｘｎの一覧情報を取得しレコメンドを行う。以下に動作の詳細を説明する。
【００５２】
図８は、レコメンドシステム５００の動作を示すシーケンスチャートである。まず、コンテンツ視聴装置６１０は、番組表の表示や、コンテンツのメニュー一覧の取得する処理をトリガとして（ステップＱ１）、自動的にリクエスト情報を端末有無判別装置７１０に送信する（ステップＱ２）。リクエスト情報を受信した端末有無判別装置７１０は、リクエスト情報に含まれる携帯端末Ｘ１を特定する情報に基づいて、その特定された携帯端末Ｘ１の接続情報を接続情報登録装置４１０に問い合わせる（ステップＱ３）。
【００５３】
問合せを受けた接続情報登録装置４１０は、特定された携帯端末Ｘ１の接続情報を返信する（ステップＱ４）。接続情報を取得した端末有無判別装置７１０は、取得した接続情報の一部と、リクエスト情報の一部に基づく情報とを照合し、一致する場合には、特定された携帯端末Ｘ１が所定範囲内にあるものと判別する（ステップＱ５）。この事例では、特定された携帯端末Ｘ１が所定範囲内にあると判定された場合を説明する。その場合、端末有無判別装置７１０は、特定された携帯端末Ｘ１に対応するユーザ情報を参照してレコメンド情報を決定し（ステップＱ６）、レコメンド情報をコンテンツ視聴装置６１０に送信する（ステップＱ７）。そして、コンテンツ視聴装置６１０は、受信したレコメンド情報を出力する（ステップＱ８）。
【００５４】
（端末有無判別装置の動作）
端末有無判別装置７１０は、プログラムにより動作される。端末有無判別装置７１０の動作を説明する。図９は、端末有無判別装置７１０の動作を示すフローチャートである。図９に示すように、まず、端末有無判別装置７１０は、コンテンツ視聴装置６１０からリクエスト情報およびそれに伴う携帯端末の一覧情報を受信する（ステップＲ１）。次いで、受信したリクエスト情報に基づいて、特定される接続情報を接続情報登録装置４１０に問い合わせる（ステップＲ２）。そして、問合せに対して返信された接続情報を取得する（ステップＲ３）。
【００５５】
次に、取得した接続情報とリクエスト情報とを対比して、位置情報を照合し（ステップＲ４）、位置情報が一致しているか否かを判別する（ステップＲ５）。位置情報が一致していない場合には電話番号とは無関係にレコメンド情報を決定する（ステップＲ６）。その場合には、レコメンド情報はユーザ特有のものとはならないが、たとえば新着情報からお薦めのコンテンツに関する情報をレコメンド情報とすることができる。そして、ステップＲ８に進む。
【００５６】
一方、位置情報が一致すると判別された場合には、予めコンテンツ配信装置７２０の視聴登録情報データベース３３０を参照して、特定の携帯端末Ｘｎに対応するレコメンド情報を決定する（ステップＲ７）。そして、レコメンドすべきコンテンツに関するレコメンド情報を送信する（ステップＲ８）。このように、ログイン等の煩わしい操作なしで、適切なコンテンツのレコメンドを受けることが可能となる。また、所定範囲内に複数のユーザ（携帯端末）が存在しているとき、複数のユーザのプロファイルの共通点から、最適なレコメンドを行うことが可能となる。なお、現在ＴＶを視聴していないユーザでも、在宅のユーザは潜在的にＴＶを見る機会のあるユーザであり、レコメンドすべき対象と考えてよい。
【００５７】
（レコメンド情報の決定方法）
次に、リクエスト情報とともに送信される携帯端末Ｘｎの一覧情報を用いたレコメンド対象の決定方法を説明する。図２（ａ）に示すように、コンテンツ視聴装置６１０の登録情報は、視聴登録情報データベース３３０に格納されている。一方、図２（ｂ）に示すように、携帯端末Ｘｎが取得しているＩＰアドレスが接続情報として、接続情報データベース４２０に登録されている。
【００５８】
接続情報取得部７１１は、視聴登録情報データベース３３０に格納されている情報を用いて、レコメンド情報を提示するコンテンツ視聴装置６１０のアドレスから、対応する携帯端末Ｘｎの番号一覧を取得し、接続情報登録装置４１０に接続情報の問い合わせを行なう。それにより、図２（ｂ）に示す接続情報の例では、080-1111-111xを電話番号とする携帯端末Ｘ１は、在宅であり、家庭のブロードバンド接続装置を経由して接続していることが分かる。一方080-2222-222xを電話番号とする携帯端末Ｘ２は、一般の携帯網ネットワークを経由して接続しており、不在であることが分かる。また、080-3333-333xを電話番号とする携帯端末Ｘ３は、ＩＰ接続可能なエリアにいない、もしくは電源を切ってあるため、ＩＰアドレスを現在取得していないことが分かる。
【００５９】
これらを対比することで、電話番号080-1111-111xにより特定される携帯端末Ｘ１が自宅の範囲内にあると判別することができ、この携帯端末Ｘ１に対応付けられたユーザ情報を参照してレコメンド情報を決定することができる。
【００６０】
なお、本発明に類似する技術として、ＧＰＳを用いて携帯端末Ｘｎが所定範囲内にあるか否かを判別するシステムも考えられる。しかし、ＧＰＳを用いたシステムは自宅等の所定範囲の緯度・経度を予め把握している必要がある。本発明のシステムはその必要がない。また、携帯端末Ｘｎが屋内にある場合には、ＧＰＳの精度が低下し不十分であるのに対し、本発明は携帯端末Ｘｎが屋内にある場合でも有効である。また、ＧＰＳを用いると携帯端末Ｘｎは本来の機能以外に更に電力を消費するのに対し、本発明のように、無線網に接続するという携帯端末Ｘｎの必須機能を利用する場合には、携帯端末Ｘｎは余計に電力を消費することがない。なお、以上の実施形態では、端末有無判別装置がコンテンツの配信に利用されているが、その他の様々な用途に応用可能である。
【００６１】
また、本発明に類似する技術として、携帯端末Ｘｎが無線接続機２３０に接続した際に、自らが無線接続したことを、コンテンツ視聴装置６１０を含む周囲のデバイスにブロードキャストし、コンテンツ視聴装置６１０で直接その情報を受信するシステムが考えられる。しかし、携帯端末Ｘｎが、自ら無線接続したことを知らせるためには、自身の電話番号等の携帯端末Ｘｎに関する情報を周囲の機器に知らせる必要がある。このため、携帯端末が外出先等の無線ＬＡＮネットワークに接続する場合、携帯端末Ｘｎに関する情報を、不特定多数の機器に通知することになり、好ましくない。本発明は、コンテンツ配信設備７００側で端末有無判別を行なうネットワーク型の装置であり、接続管理設備４００を経由して携帯端末Ｘｎに関する情報を取得するため、このような問題を回避することが出来る。
【図面の簡単な説明】
【００６２】
【図１】実施形態１に係るコンテンツ視聴制限システムの機能的構成を示すブロック図である。
【図２】（ａ）コンテンツ配信装置に格納されているコンテンツ視聴装置の登録情報、および携帯端末の番号の例（一覧情報の例）、（ｂ）接続情報登録装置に格納されている接続情報の例である。
【図３】実施形態１に係るコンテンツ視聴制限システムの動作を示すシーケンスチャートである。
【図４】実施形態１に係る端末有無判別装置の動作を示すフローチャートである。
【図５】（ａ）リクエスト情報の一部をなすアドレス、（ｂ）接続情報の一部となすアドレスを示す図である。
【図６】実施形態１に係るコンテンツ視聴制限システムのメールによる確認の動作を示すシーケンスチャートである。
【図７】実施形態２に係るレコメンドシステムの機能的構成を示すブロック図である。
【図８】実施形態２に係るレコメンドシステムの動作を示すシーケンスチャートである。
【図９】実施形態２に係る端末有無判別装置の動作を示すフローチャートである。
【符号の説明】
【００６３】
１００  コンテンツ視聴制限システム
２００  ユーザ用設備
２１０  コンテンツ視聴装置
２１１  制限情報記憶部
２１２  制限制御部
２１５  コンテンツ受信部
２１６  出力部
２２０  ブロードバンド回線接続装置
２３０  無線接続機
３００  コンテンツ配信設備
３１０  端末有無判別装置
３１１  接続情報取得部
３１２  判別部
３１５  メール送信部
３１６  判別情報通知部
３２０  コンテンツ配信装置
３２１  配信制御部
３２２  配信部
３３０  視聴登録情報データベース
４００  接続管理設備
４１０  接続情報登録装置
４２０  接続情報データベース
５００  レコメンドシステム
６００  ユーザ用設備
６１０  コンテンツ視聴装置
６１５  コンテンツ受信部
６１６  出力部
７００  コンテンツ配信設備
７１０  端末有無判別装置
７１１  接続情報取得部
７１２  判別部
７１５  レコメンド情報決定部
７１６  レコメンド情報配信部
７２０  コンテンツ配信装置
７２１  配信制御部
７２２  配信部
Ｎ  電気通信網
Ｘ１、Ｘ２、Ｘ３・・・Ｘｎ  携帯端末
【図１】
2010074272.tif 000003
【図２】
2010074272.tif 000004
【図３】
2010074272.tif 000005
【図４】
2010074272.tif 000006
【図５】
2010074272.tif 000007
【図６】
2010074272.tif 000008
【図７】
2010074272.tif 000009
【図８】
2010074272.tif 000010
【図９】
2010074272.tif 000011